(57)【特許請求の範囲】
【請求項１】
同軸ケーブル用のプラグが着脱自在に結合されるレセプタクルを有し、前記レセプタクルは、絶縁材料からなるコネクタ本体に突設され、内部にコネクタ本体を貫通する収納空間が設けられるとともに先端面に収納空間と外部を連通する連通孔が設けられた筒体と、収納空間内に対向配置された導電材料からなるコモン端子及び常閉端子と、導電材料からなり筒体表面に設けられたグランド端子とを備え、コモン端子における連通孔側の端部に、プラグの中心コンタクトの周面に接触する略コ字形の保持部を設けるとともに、該保持部における連通孔と反対側の端部から中心コンタクトの挿入方向に向かって突出して、コモン端子との間で中心コンタクトを挟持する弾性接触片を設け、該弾性接触片の基部をコモン端子に近付く向きに折曲するとともに、弾性接触片の中間部を折曲して該折曲部よりも先端側をコモン端子から離れる向きに突出させ、弾性接触片の先端部とコモン端子との間に常閉端子を配置しており、常時は弾性接触片における折曲部よりも先端側の部位で弾性接触片が常閉端子に接触し、プラグとレセプタクルとの結合時には、プラグの外部コンタクトがグランド端子に接触するとともに、プラグの中心コンタクトが保持部に接触し、且つ、保持部から突出する中心コンタクトの先端部で弾性接触片の折曲部が押圧されて常閉端子と弾性接触片とが開離することを特徴とする同軸コネクタ。
【請求項２】
上記保持部近傍のコモン端子の部位に、保持部を撓みやすくするための切欠を設けたことを特徴とする請求項１記載の同軸コネクタ。
【請求項３】
プラグの中心コンタクトに押圧される弾性接触片の部位以外で弾性接触片が常閉端子と接触することを特徴とする請求項１記載の同軸コネクタ。
【請求項４】
プラグとレセプタクルとの結合時に、プラグの中心コンタクトにより常閉端子から離れる方向に押圧された弾性接触片と収納空間の内面との間に隙間ができるように収納空間の内面に逃がし部を設けたことを特徴とする請求項１記載の同軸コネクタ。
【請求項５】
コモン端子は、保持部が筒体側の収納空間の開口に望むとともに、弾性接触片が筒体と反対側の収納空間の開口に向かって延びるようにして収納空間の内部に配設され、常閉端子は筒体と反対側の収納空間の開口から収納空間内に挿入され、弾性接触片の先端と常閉端子の先端とが接触することを特徴とする請求項１記載の同軸コネクタ。
【請求項６】
コネクタ本体の表面を金属製の外殻で覆い、この外殻とグランド端子とを電気的に接続して成ることを特徴とする請求項１記載の同軸コネクタ。
【発明の詳細な説明】
【０００１】
【発明の属する技術分野】
本発明は、プラグとレセプタクルとの間で電気的接続を行うとともに、プラグとレセプタクルとの着脱に応じて開閉されるスイッチ部を備えた同軸コネクタに関するものである。
【０００２】
【従来の技術】
図７（ａ）（ｂ）は従来の同軸コネクタを示し、図７（ａ）はプラグが嵌合されていない状態の断面図、図７（ｂ）はプラグが嵌合された状態の断面図である。
同軸コネクタ１は例えば樹脂成形品からなるコネクタ本体１０を備えており、コネクタ本体１０の一面には凹部１１が設けられ、凹部１１内には凹部１１の開口に望むようにして筒体１２が設けられている。筒体１２内部の収納空間１３には、導電材料から形成されたコモン端子３及び常閉端子４よりなるスイッチ部５が配設されており、筒体１２の表面には導電材料から形成されたグランド端子６が設けられている。ここに、筒体１２と、コモン端子３及び常閉端子４からなるスイッチ部５と、グランド端子６とからレセプタクル２が構成され、レセプタクル２には同軸ケーブル用のプラグ７が着脱自在に結合される。なお、凹部１１内に突出する筒体１２の先端面には凹部１１と収納空間１３とを連通する連通孔１４が設けられ、連通孔１４の端面にはプラグ７の中心コンタクト７ａを連通孔１４に挿入し易くするためにテーパ１５が形成されている。
【０００３】
ところで、常閉端子４はコモン端子３と対向するように収納空間１３の内壁に配置されている。一方、コモン端子３は基部３７が収納空間１３の内壁に固定され、先端部３８を連通孔１４に臨ませて収納空間１３内に配置されており、コモン端子３は常閉端子４と接触する方向に付勢されているので、図７（ａ）に示すように、常時は（レセプタクル２にプラグ７が接続されていない状態では）基部３７と先端部３８との間の接触部３９でコモン端子３が常閉端子４と接触し、スイッチ部５がオン状態となっている。一方、図７（ｂ）に示すように、レセプタクル２にプラグ７を接続すると、連通孔１４から収納空間１３に挿入されたプラグ７の中心コンタクト（ポスト）７ａがコモン端子３の先端部３８に当接してコモン端子３と電気的に接続されるとともに、コモン端子３の先端部３８を押圧してコモン端子３を常閉端子４から離れる方向に移動させるので、コモン端子３と常閉端子４とが開離し、スイッチ部５はオフ状態となる。
【０００４】
【発明が解決しようとする課題】
上記構成の同軸コネクタ１では、コモン端子３が基部３７と先端部３８との中間の接触部３９で常閉端子４と接触しており、しかもレセプタクル２とプラグ７との結合時に、プラグ７の中心コンタクト７ａがコモン端子３の先端部３８を押圧しているので、接触部３８の移動量が小さくなっている。そのため、コモン端子３と常閉端子４との間の接点ギャップＧが小さくなり、アイソレーション特性が悪化する虞があり、同軸コネクタ１を小型化できないという問題があった。また各部品の加工精度によっては、スイッチ部５がオフ状態に切り換わらない可能性もあった。
【０００５】
一方、同軸コネクタ１を小型化すると、連通孔１４の端面に設けたテーパ１５の寸法を十分に確保することができず、連通孔１４から挿入されるプラグ７の中心コンタクト７ａをテーパ１５でガイドすることができない虞があり、プラグ７の中心コンタクト７ａによってコモン端子３の先端部３８が押圧され、コモン端子３が座屈、変形してしまう虞もあり、同軸コネクタ１を小型化しにくいという問題もあった。
【０００６】
本発明は上記問題点に鑑みて為されたものであり、その目的とするところは、小型化を図った同軸コネクタを提供することにある。
【０００７】
【課題を解決するための手段】
上記目的を達成するために、請求項１の発明では、同軸ケーブル用のプラグが着脱自在に結合されるレセプタクルを有し、前記レセプタクルは、絶縁材料からなるコネクタ本体に突設され、内部にコネクタ本体を貫通する収納空間が設けられるとともに先端面に収納空間と外部を連通する連通孔が設けられた筒体と、収納空間内に対向配置された導電材料からなるコモン端子及び常閉端子と、導電材料からなり筒体表面に設けられたグランド端子とを備え、コモン端子における連通孔側の端部に、プラグの中心コンタクトの周面に接触する略コ字形の保持部を設けるとともに、該保持部における連通孔と反対側の端部から中心コンタクトの挿入方向に向かって突出して、コモン端子との間で中心コンタクトを挟持する弾性接触片を設け、該弾性接触片の基部をコモン端子に近付く向きに折曲するとともに、弾性接触片の中間部を折曲して該折曲部よりも先端側をコモン端子から離れる向きに突出させ、弾性接触片の先端部とコモン端子との間に常閉端子を配置しており、常時は弾性接触片における折曲部よりも先端側の部位で弾性接触片が常閉端子に接触し、プラグとレセプタクルとの結合時には、プラグの外部コンタクトがグランド端子に接触するとともに、プラグの中心コンタクトが保持部に接触し、且つ、保持部から突出する中心コンタクトの先端部で弾性接触片の折曲部が押圧されて常閉端子と弾性接触片とが開離しているので、プラグの中心コンタクトが弾性接触片の先端部を押圧した場合に比べて、プラグの中心コンタクトに押圧された際の弾性接触片の移動量が大きくなり、弾性接触片と常閉端子との間の接点ギャップを大きくすることができ、且つ、コモン端子と常閉端子とを確実に開離させることができる。
【０００８】
さらに、コモン端子は、プラグの中心コンタクトの周面と接触する略コ字状の保持部を備え、上記弾性接触片は上記保持部の一端からプラグの中心コンタクトの挿入方向に連設されているので、プラグの中心コンタクトを保持部で確実に保持することができ、しかも弾性接触片は保持部の一端から中心コンタクトの挿入方向に連設されているので、弾性接触片の先端がプラグの中心コンタクトによって押圧されることがなく、弾性接触片がプラグの中心コンタクトに押圧されて座屈、変形するのを防止できる。
【０００９】
請求項２の発明では、請求項１の発明において、上記保持部近傍のコモン端子の部位に保持部を撓みやすくするための切欠を設けているので、プラグの中心コンタクトを保持部に挿入した際の保持部のたわみ量が大きくなり、保持部がプラグの中心コンタクトを確実に保持することができる。
請求項３の発明では、請求項１の発明において、プラグの中心コンタクトに押圧される弾性接触片の部位以外で弾性接触片が常閉端子と接触しており、プラグの中心コンタクトが挿入される位置とは別の位置に常閉端子を配置しているので、中心コンタクトに押圧された際の弾性接触片のたわみ量を大きくしても、収納空間を小さくすることができ、同軸コネクタを小型化できる。
【００１０】
請求項４の発明では、請求項１の発明において、プラグとレセプタクルとの結合時に、プラグの中心コンタクトにより常閉端子から離れる方向に押圧された弾性接触片と収納空間の内面との間に隙間ができるように収納空間の内面に逃がし部を設けているので、プラグとレセプタクルとの結合時に弾性接触片と収納空間の内面とが接触するのを防止できる。
【００１１】
請求項５の発明では、請求項１の発明において、コモン端子は、保持部が筒体側の収納空間の開口に望むとともに、弾性接触片が筒体と反対側の収納空間の開口に向かって延びるようにして収納空間の内部に配設され、常閉端子は筒体と反対側の収納空間の開口から収納空間内に挿入され、弾性接触片の先端と常閉端子の先端とが接触しているので、常閉端子を収納空間に挿入する際に、常閉端子の先端が弾性接触片の先端に当たり、常閉端子の先端により弾性接触片の先端に付着したゴミや汚れなどを取り除くことができる。
【００１２】
請求項６の発明では、請求項１の発明において、コネクタ本体の表面を金属製の外殻で覆い、この外殻とグランド端子とを電気的に接続しているので、グランドの表面積が大きくなり、同軸コネクタの高周波特性を向上させることができる。
【００１３】
【発明の実施の形態】
本実施形態の同軸コネクタを図１乃至図６を参照して説明する。
この同軸コネクタ１は合成樹脂などの絶縁材料から形成された略直方体状のコネクタ本体１０を備えており、コネクタ本体１０の長手方向の側面の一側には筒体１２が突設され、筒体１２の内部はコネクタ本体１０に設けられた収納空間１３と連通する。この収納空間１３には、導電材料から形成されたコモン端子３及び常閉端子４が対向配置され、筒体１２の周面にはグランド端子６の筒部６５が配置されている。而して、筒体１２と、コモン端子３及び常閉端子４からなるスイッチ部５と、グランド端子６とからレセプタクル２が構成され、レセプタクル２には同軸ケーブル用のプラグ７が着脱自在に結合される。なお、筒体１２の先端面には外部と収納空間１３とを連通する連通孔１４が穿設されており、連通孔１４の端面にはテーパ１５が形成されている。また、グランド端子６の側片６２，６２に対応するコネクタ本体１０の部位には側片６２，６２を挿入するための溝１６，１６が形成されている。
【００１４】
図３（ａ）（ｂ）に示すように、筒体１２が設けられたコネクタ本体１０の側面の他側には、コネクタ（図示せず）が着脱自在に接続される接続部が設けられており、筒体１２が設けられたコネクタ本体１０の側面と対向する側面からは、後述する半田付け片３２，４２，６３と、接続部のピン端子８ａとが突出している。尚コネクタ以外のコネクタを並設しても良いことは言うまでもない。さらに、コネクタ本体１０の上記対向２面以外の表面は外殻たる金属シェル９で覆われており、金属シェル９はレセプタクル２の先端位置まで張り出している。
【００１５】
一方、レセプタクル２に着脱自在に接続されるプラグ７は、例えば合成樹脂などの絶縁材料からなる略円柱状のベース７ｃと、ベース７ｃを貫通して設けられた略棒状の中心コンタクト７ａと、ベース７ｃの外周に沿って設けられた略円筒状の外部コンタクト７ｂとから構成されている。外部コンタクト７ｂの先端は断面略く字状に形成され、先端にいくほど径が大きくなり、プラグ７をレセプタクル２に差し込み易くなっている。
【００１６】
コモン端子３は、図４に示すように、中央片３１の一端部から中央片３１の平面方向と略直交する方向に伸びる半田付け用の半田付け片３２が立設されている。また、半田付け片３２が設けられた側と反対側の中央片３１の端部は二股に分かれており、二股に分かれた一方の先端にはコモン端子３をコネクタ本体１０に例えば圧入により固定するための固定片３３が設けられ、二股に分かれた他方の先端には内面がプラグ７の中心コンタクト７ａの周面と接触して、中心コンタクト７ａを保持する略コ字状の保持部３４が設けられている。なお、コモン端子３の固定方法を圧入に限定する趣旨のものではなく、固定片３３をコネクタ本体１０に接着するなどの方法でコモン端子３をコネクタ本体１０に固定しても良い。さらに、保持部３４の先端からは、半田付け片３２側、すなわち中心コンタクト７ａの挿入方向に向かって、常閉端子４と接触する弾性接触片たる接触片３５が連設されている。
【００１７】
ここで、接触片３５の基部３５ａは中央片３１側に折り曲げられ、接触片３５の基部３５ａと先端部との間には中央片３１から離れる方向に折れ曲がる２ヶ所の折曲部３５ｂ，３５ｃが設けられており、基部３５ａ側の折曲部３５ｂで接触片３５と中心コンタクト７ａとが接触し、先端側の折曲部３５ｃで接触片３５と常閉端子４とが接触する。なお、保持部３４に対して半田付け片３２側のコモン端子３の部位には切欠３６が設けられているので、この切欠３６により中心コンタクト７ａの挿入時に保持部３４が撓みやすくなり（ばね性が高くなり）、保持部３４の撓み量を十分大きくして、保持部３４でプラグ７の中心コンタクト７ａを確実に保持することができる。
【００１８】
常閉端子４は、図５に示すように、中央片４１の長手方向の一端部から中央片４１の平面方向と略直交する方向に伸びる半田付け用の半田付け片４２が立設されている。また、中央片４１の略中央の一端部からは常閉端子４をコネクタ本体１０に固定するための固定片４３が半田付け片４２と同じ方向に立設されている。さらに、中央片４１の長手方向の他端部は二股に分かれ、二股に分かれた一方の先端には常閉端子４をコネクタ本体１０に固定するための固定片４４が設けられ、二股に分かれた他方の先端にはコモン端子３の接触片３５と接触する接触片４５が設けられている。なお、接触片４５の基部４５ａは半田付け片４２及び固定片４３と反対側に折り曲げられた後、折曲部４５ｂで反対側に折り返され、接触片４５の先端部４５ｃは中央片４１と略平行な方向に伸びている。なお、図１（ａ）に示すように、常閉端子４の接触片４５はコモン端子３の中央片３１と接触片３５との間に配置され、常時は接触片４５の先端部４５ｃが接触片３５の折曲部３５ｃと接触している。
【００１９】
グランド端子６は、図６に示すように、中央片６１の対向する二辺から中央辺６１と略直交する方向に側片６２，６２が立設され、各側片６２には半田付け用の半田付け片６３と、グランド端子６をコネクタ本体１０に固定するための固定片６４が設けられている。また、中央片６１の略中央からは連結片６７を介して半田付け片６３と反対方向に略円筒状の筒部６５が連設されており、筒部６５が設けられた中央片６１の部位と反対側の中央片６１の部位には、コネクタ本体１０の表面を覆う金属シェル９とグランド端子６とを接触させるための弾性を有する接触片６６，６６が設けられており、接触片６６は側片６２と反対側に折り曲げられている。したがって、コネクタ本体１０の表面を金属シェル９で覆うと、金属シェル９によって接触片６６，６６が図２（ｂ）に想像線で示す位置から撓められ、接触片６６，６６が金属シェル９に押し付けられるので、グランド端子６が接触片６６を介して金属シェル９に電気的に接続される。したがって、グランドの表面積を広くとることができ、同軸コネクタ１の高周波特性を向上させることができる。なお、常閉端子４、グランド端子６は、コモン端子３と同様に、それぞれ、固定片４３，４４、固定片６４を用いて圧入や接着などの方法によりコネクタ本体１０に固定される。
【００２０】
ここで、図１（ａ）及び図２（ａ）（ｂ）に示すように、筒体１２内部の収納空間１３には、コモン端子３と常閉端子４よりなるスイッチ部５が配設されており、コモン端子３の接触片３５は常閉端子４の接触片４５側に付勢されており、常時は両接触片３５，４５が接触して、スイッチ部５がオン状態になっている。また、図１（ｂ）に示すように、レセプタクル２にプラグ７を接続すると、プラグ７の中心コンタクト７ａが連通孔１４を介して筒体１２内部の収納空間１３に挿入され、中心コンタクト７ａが保持部３４に保持されて、プラグ７の中心コンタクト７ａとコモン端子４とが電気的に接続されるとともに、プラグ７の中心コンタクト７ａにより接触片３５の付け根付近、すなわち折曲部３５ｂが押圧されて、接触片３５が常閉端子４の接触片４５から離れる方向に押圧されるので、コモン端子３の接触片３５と常閉端子４の接触片４５が開離し、スイッチ部５がオフ状態に切り換わる。一方、プラグ７の外部コンタクト７ｂは、筒体１２の外周に配設されたグランド端子６の筒部６５と接触して、プラグ７の外部コンタクト７ｂとグランド端子６とが電気的に接続される。
【００２１】
上述のようにレセプタクル２とプラグ７との結合時に、プラグ７の中心コンタクト７ａが接触片３５の付け根付近、すなわち接触片３５の折曲部３５ｂを押圧しているので、従来の同軸コネクタ１のように中心コンタクト７ａが接触片３５の先端部を押圧した場合に比べて、常閉端子４の接触片４５に接触するコモン端子３の折曲部３５ｃの移動量が大きくなる。したがって、コモン接点３と常閉接点４との接点ギャップＧが大きくなり、従来の同軸コネクタ１に比べてアイソレーション特性を向上させることができ、且つ、スイッチ部５を確実に開離させることができ、そのうえ従来の同軸コネクタ１に比べて接点ギャップＧを十分大きくとることができるので、同軸コネクタ１の小型化を図ることができる。
【００２２】
また、従来の同軸コネクタ１とは逆に、連通孔１４に望むように配置された保持部３４の一端から中心コンタクト７ａの挿入方向に向かって、コモン端子３の接触片３５が連設されているので、中心コンタクト７ａにより接触片３５の先端が押圧されるため、接触片３５が座屈・変形することはない。
ここで、コモン端子３は、中央片３１の一端に設けられた保持部３４と保持部３４の一端から連接された接触片３５の折曲部３５ｂとでプラグ７の中心コンタクト７ａに接触し、保持部３４の一端から連設された接触片３５の折曲部３５ｃで常閉端子４と接触している。すなわち、プラグ７の中心コンタクト７ａに押圧される接触片３５の部位以外で、接触片３５が常閉端子４と接触しているので、収納空間１３にプラグ７の中心コンタクト７ａと常閉端子４とを別々に配置することができ、接触片３５のたわみ量を大きくしたとしても、収納空間１３を小さくしてレセプタクル２の小型化を図ることができる。なお、レセプタクル２とプラグ７との結合時に、プラグ７の中心コンタクト７ａにより常閉端子４から離れる方向に押圧された接触片３５と収納空間１３の内面との間に隙間１８ができるように、収納空間１３の内面に逃がし部たる面取り１７が形成されているので、接触片３５と収納空間１３の内面とが接触することはない。
【００２３】
また、同軸コネクタ１の組立時、コモン端子３が、保持部３４を筒体１２側の収納空間１３の開口に望むようにし、且つ、接触片３５を筒体１２と反対側の収納空間１３の開口に向かって延びるようにして収納空間１３の内部に配置された状態で、常閉端子４が筒体１２と反対側の収納空間１３の開口から収納空間１３内に挿入されるので、常閉端子４の組込時に常閉端子４の先端が接触片３５の折曲部３５ｃと接触して、折曲部３５ｃに付着したゴミや汚れを取り除くことができる。
【００２４】
【発明の効果】
上述のように、請求項１の発明は、同軸ケーブル用のプラグが着脱自在に結合されるレセプタクルを有し、前記レセプタクルは、絶縁材料からなるコネクタ本体に突設され、内部にコネクタ本体を貫通する収納空間が設けられるとともに先端面に収納空間と外部を連通する連通孔が設けられた筒体と、収納空間内に対向配置された導電材料からなるコモン端子及び常閉端子と、導電材料からなり筒体表面に設けられたグランド端子とを備え、コモン端子における連通孔側の端部に、プラグの中心コンタクトの周面に接触する略コ字形の保持部を設けるとともに、該保持部における連通孔と反対側の端部から中心コンタクトの挿入方向に向かって突出して、コモン端子との間で中心コンタクトを挟持する弾性接触片を設け、該弾性接触片の基部をコモン端子に近付く向きに折曲するとともに、弾性接触片の中間部を折曲して該折曲部よりも先端側をコモン端子から離れる向きに突出させ、弾性接触片の先端部とコモン端子との間に常閉端子を配置しており、常時は弾性接触片における折曲部よりも先端側の部位で弾性接触片が常閉端子に接触し、プラグとレセプタクルとの結合時には、プラグの外部コンタクトがグランド端子に接触するとともに、プラグの中心コンタクトが保持部に接触し、且つ、保持部から突出する中心コンタクトの先端部で弾性接触片の折曲部が押圧されて常閉端子と弾性接触片とが開離しており、プラグの中心コンタクトが弾性接触片の先端部を押圧した場合に比べて、プラグの中心コンタクトに押圧された際の弾性接触片の移動量が大きくなり、弾性接触片と常閉端子とを確実に開離させることができ、しかも弾性接触片と常閉端子との間の接点ギャップが大きくなるので、同軸コネクタのアイソレーション特性が向上し、そのうえ従来の同軸コネクタに比べて接点ギャップを十分大きく確保することができるので、同軸コネクタの小型化を図ることができるという効果がある。
【００２５】
さらに、コモン端子は、プラグの中心コンタクトの周面と接触する略コ字状の保持部を備え、上記弾性接触片は上記保持部の一端からプラグの中心コンタクトの挿入方向に連設されているので、プラグの中心コンタクトを保持部で確実に保持することができ、しかも弾性接触片は保持部の一端から中心コンタクトの挿入方向に連設されているので、弾性接触片の先端がプラグの中心コンタクトによって押圧されることがなく、弾性接触片がプラグの中心コンタクトに押圧されて座屈、変形するのを防止できるという効果がある。
【００２６】
請求項２の発明は、上記保持部近傍のコモン端子の部位に保持部を撓みやすくするための切欠を設けているので、プラグの中心コンタクトを保持部に挿入した際の保持部のたわみ量が大きくなり、保持部がプラグの中心コンタクトを確実に保持できるという効果がある。
請求項３の発明は、プラグの中心コンタクトに押圧される弾性接触片の部位以外で弾性接触片が常閉端子と接触しており、プラグの中心コンタクトが挿入される位置とは別の位置に常閉端子を配置しているので、中心コンタクトに押圧された際の弾性接触片のたわみ量を大きくしても、収納空間を小さくすることができ、同軸コネクタを小型化できるという効果がある。
【００２７】
請求項４の発明は、プラグとレセプタクルとの結合時に、プラグの中心コンタクトにより常閉端子から離れる方向に押圧された弾性接触片と収納空間の内面との間に隙間ができるように収納空間の内面に逃がし部を設けているので、プラグとレセプタクルとの結合時に弾性接触片と収納空間の内面との間に隙間ができ、弾性接触片と収納空間の内面とが接触するのを防止できるという効果がある。
【００２８】
請求項５の発明は、コモン端子は、保持部が筒体側の収納空間の開口に望むとともに、弾性接触片が筒体と反対側の収納空間の開口に向かって延びるようにして収納空間の内部に配設され、常閉端子は筒体と反対側の収納空間の開口から収納空間内に挿入され、弾性接触片の先端と常閉端子の先端とが接触しているので、常閉端子を収納空間に挿入する際に、常閉端子の先端により弾性接触片の先端に付着したゴミや汚れなどを取り除くことができるという効果がある。
【００２９】
請求項６の発明は、コネクタ本体の表面を金属製の外殻で覆い、この外殻とグランド端子とを電気的に接続しているので、グランドの表面積が大きくなり、同軸コネクタの高周波特性を向上させることができるという効果がある。
【図面の簡単な説明】
【図１】本実施形態の同軸コネクタを示し、（ａ）はプラグが嵌合されていない状態の断面図、（ｂ）はプラグが嵌合されている状態の断面図である。
【図２】同上の同軸コネクタを示し、（ａ）は一部破断せる正面図、（ｂ）は断面図である。
【図３】同上の同軸コネクタを示し、（ａ）は正面図、（ｂ）は上面図である。
【図４】同上のコモン端子を示す斜視図である。
【図５】同上の常閉端子を示す斜視図である。
【図６】同上のグランド端子を示す斜視図である。
【図７】従来の同軸コネクタを示し、（ａ）はプラグが嵌合されていない状態の断面図、（ｂ）はプラグが嵌合された状態の断面図である。
【符号の説明】
２  レセプタクル
３  コモン端子
４  常閉端子
６  グランド端子
７  プラグ
７ａ  中心コンタクト
１０  コネクタ本体
１２  筒体
３５，４５  接触片
【図１】
0003684803.tif 000002
【図２】
0003684803.tif 000003
【図３】
0003684803.tif 000004
【図４】
0003684803.tif 000005
【図５】
0003684803.tif 000006
【図６】
0003684803.tif 000007
【図７】
0003684803.tif 000008